(57)【要約】【課題】多角形運動によるチェーンの速度変動を減少させつつチェーンの弦振動を防止し、騒音や振動を低減するとともにピーク張力変動を低減してチェーンの耐久性を向上するチェーン用スプロケットを提供すること。【解決手段】歯１０５の中心線ｘから歯面１０２までの距離が、ピッチ円ｐｃより歯先側の部分においてピッチ円ｐｃ部分での距離以上になっているチェーン用スプロケット１００において、複数の歯１０５がピッチ円ｐｃより歯先側の部分における歯面形状の異なる歯を含むこと。【選択図】図２
2010169156.tif 000002
【特許請求の範囲】
【請求項１】
向かい合う歯面が歯底部に連続する歯溝によって複数の歯が形成され、回転中心と歯の中心とを結ぶ歯の中心線から少なくとも回転方向前面側の歯面までの距離が、ピッチ円より歯先側の部分において前記ピッチ円部分での距離より大きいかまたは等しくなっているチェーン用スプロケットにおいて、
前記複数の歯が、前記ピッチ円より歯先側の部分における歯面形状の異なる歯を含むことを特徴とするチェーン用スプロケット。
【請求項２】
前記ピッチ円より歯先側の部分における歯面形状の異なる歯が、前記ピッチ円より歯先側の部分における回転方向前面側または背面側の歯面形状を２種類以上設定することで異なる歯面形状としたことを特徴とする請求項１に記載のチェーン用スプロケット。
【請求項３】
前記ピッチ円より歯先側の部分における歯面形状の異なる歯が、前記ピッチ円より歯先側の部分における回転方向前面側および背面側の両方の歯面形状を２種類以上設定することで異なる歯面形状としたことを特徴とする請求項１に記載のチェーン用スプロケット。
【請求項４】
前記ピッチ円より歯先側の部分における歯面形状の異なる歯が、回転方向に規則的に配置されていることを特徴とする請求項１乃至請求項３のいずれかに記載のチェーン用スプロケット。
【発明の詳細な説明】
【技術分野】
【０００１】
本発明は、向かい合う歯面が歯底部に連続する歯溝によって複数の歯が形成され、ローラまたはブシュが前記歯溝に噛み合うチェーン用スプロケットに関するものである。
【背景技術】
【０００２】
従来、標準的なスプロケットとして、ＩＳＯ  ６０６：１９９４（Ｅ）にローラチェーン用スプロケットの歯形（以下、ＩＳＯ歯形という）が規定されている。
ＩＳＯ歯形は、図６に示すように、チェーンピッチをｐ、ピッチ円直径をｄ、ローラ外径をｄ１、歯底部円弧半径をｒｉ、歯面半径をｒｅ、歯底円直径をｄｆ、スプロケットの歯数をｚとすると、これらの関係は、ＩＳＯ  ６０６：１９９４（Ｅ）により次の式で規定されている。
【０００３】
ｄ＝ｐ／ｓｉｎ（１８０°／ｚ）
ｄｆ＝ｄ−ｄ１
ｒｅ（ｍａｘ）＝０．１２ｄ１（ｚ＋２）
ｒｉ（ｍｉｎ）＝０．５０５ｄ１
ｒｅ（ｍｉｎ）＝０．００８ｄ１（ｚ２＋１８０）
ｒｉ（ｍａｘ）＝０．５０５ｄ１＋０．０６９（ｄ１）１／３
【０００４】
上記式から明らかなように、図６に示すＩＳＯ歯形においては、歯底部５０３はローラ５５２の半径（ｄ１／２）よりわずかに大きい歯底部円弧半径ｒｉの円弧で形成され、歯面５０２は歯面半径ｒｅの円弧で形成され、この歯面５０２は歯底部５０３の両側に連続して形成されている。
また、歯底円直径ｄｆはピッチ円直径ｄとローラ外径ｄ１との差に等しく形成されており、歯底円直径ｄｆはピッチ円直径ｄと歯底部円弧半径ｒｉの２倍との差に略等しく形成されている。
【０００５】
このＩＳＯ歯形を有するローラチェーン用スプロケット５００にローラチェーン５５０を巻き掛けて動力伝達を行なうと、図７に示すように、ローラ５５２がローラチェーン用スプロケット５００の歯底部５０３で噛み合うため、周知のようにローラチェーン５５０の多角形運動を生じる。
この多角形運動によりローラチェーン５５０は上下動（脈動）し、この上下動（脈動）はローラチェーン５５０を振動させ、騒音の発生要因となる。また、この多角形運動はローラチェーン５５０の進行方向の速度変動も発生させる。
【０００６】
このような多角形運動によるローラチェーンの上下動を減少させるものとして、スプロケットの回転中心と前記歯の中心とを結ぶ歯の中心線からスプロケットの少なくとも回転方向前面側の歯面までの距離が、ピッチ円より歯先側の部分においてピッチ円部分での距離より大きいかまたは等しい部分を有するチェーン用スプロケットが公知である。
【０００７】
この公知のチェーン用スプロケット６００は、図８に示すように、向かい合う歯面６０２ａ、６０２ｂが歯底部６０３に連続する歯溝６０４によって複数の歯６０５が形成されている。
歯６０５の歯形は、チェーン用スプロケット６００の回転中心ｏと歯６０５の中心とを結ぶ歯６０５の中心線ｘに対してチェーン用スプロケット６００の回転方向前面側の歯面６０２ａと回転方向背面側の歯面６０２ｂが左右対称に形成されて、歯面６０２ａ及び歯面６０２ｂはそれぞれ断面略凹状の曲面で形成されている。
また、歯底部６０３は歯底部円弧半径ｒｉ６により円弧状に形成されて、それぞれ断面略凹状の曲面で形成された歯面６０２ａ及び歯面６０２ｂは歯底部６０３に滑らかに連続している。
【０００８】
また、歯６０５の中心線ｘからチェーン用スプロケット６００の回転方向前面側の歯面６０２ａ及び回転方向背面側の歯面６０２ｂまでの距離がピッチ円ｐｃより歯先側の部分においてピッチ円ｐｃ部分での距離ｐｔより大きい部分を有しており、歯底円直径ｄｆ６はＩＳＯ歯形の歯底円直径ｄｆより小さくなっている（比較のために、ＩＳＯ歯形の歯底円直径ｄｆを破線で図示している）。
【０００９】
そして、図９乃至図１１に示すように、チェーン用スプロケット６００が矢印で示すように反時計方向に回転すると、ローラチェーン６５０の各ローラ６５２はチェーン用スプロケット６００の歯溝６０４内に係合し、ローラチェーン６５０が駆動される。
この際、チェーン用スプロケット６００とローラチェーン６５０の噛み合い部Ａにおいて、図１０に示すように、先行ローラ６５２ａが歯溝６０４内に係合している状態で、後続ローラ６５２ｂは既にチェーン用スプロケット６００の回転方向前面側の歯面６０２ａと係合する。この時、先行ローラ６５２ａの中心と後続ローラ６５２ｂの中心とは同一水平線上に位置している。
【００１０】
また、チェーン用スプロケット６００の反時計方向の回転に伴って各ローラ６５２は、歯溝６０４内を転動しながら移動する。その間、ローラ６５２のチェーン用スプロケット６００の歯溝６０４における位置は回転方向前面側の歯面６０２ａ側から回転方向背面側の歯面６０２ｂ側へと移動する。
そして、チェーン用スプロケット６００とローラチェーン６５０の噛み外れ部Ｂにおいて、図１１に示すように、後続ローラ６５２ｃが回転方向背面側の歯面６０２ｂに係合しているとき、先行ローラ６５２ｄは回転方向背面側の歯面６０２ｂとの係合が解除され、チェーン用スプロケット６００からスムーズに噛み外れることになる。
【００１１】
チェーン用スプロケット６００の歯形は、チェーン用スプロケット６００の回転中心ｏと歯６０５の中心とを結ぶ歯６０５の中心線ｘからチェーン用スプロケット６００の歯面６０２ａ、６０２ｂまでの距離がピッチ円ｐｃより歯先側の部分においてピッチ円ｐｃ部分での距離ｐｔより大きい部分を有するので、張り側あるいは緩み側にあるローラ６５２がピッチ円ｐｃより歯先側の歯面６０２ａ、６０２ｂと係合し、隣接するローラ６５２の中心同士が同一水平線上に位置した状態で噛み合いあるいは噛み外れが行われ、多角形運動によるローラチェーン６５０の速度変動を減少させて振動を低減している（例えば、特許文献１参照。）。
【先行技術文献】
【特許文献】
【００１２】
【特許文献１】特開２００５−３０５０１号公報（第４−５頁、図１乃至図４）
【発明の概要】
【発明が解決しようとする課題】
【００１３】
しかしながら、前記公知のチェーン用スプロケット６００は、多角形運動によるローラチェーン６５０の速度変動を減少させて振動を低減するものの、歯先部分までローラ６５２と当接するように構成され、張り側あるいは緩み側にあるローラ６５２がピッチ円ｐｃより歯先側の歯面６０２ａ、６０２ｂと係合するため、接触部における摩擦力によってチェーンが図の上方向に押し上げられ、また、チェーンの製作誤差、チェーンの伸び、張り側と緩み側の張力バランスの変動等が生じた場合、噛み合い及び噛み外れ時にローラ６５２とチェーン用スプロケット６００の歯先との衝突や引っ掛かり等の干渉が生じて滑らかな噛み合い及び噛み外れが阻害され、また張り側あるいは緩み側のチェーンに大きな弦振動が発生しやすく、干渉や弦振動によって騒音や振動が増大するとともに、弦振動による張力変動によってピーク張力が大きくなりチェーンの耐久性が低下するという問題があった。
【００１４】
また、噛み合い及び噛み外れ時のローラ６５２とチェーン用スプロケット６００の歯先との干渉は同一周期であることから、特定周期の弦振動が増大するおそれがあった。
さらに、駆動力や負荷の周期変動によってチェーンの張力が周期的に変動する場合、前記干渉や弦振動への影響も一定の周期で変動するため、当該一定の周期成分による騒音や振動が突出して増大するとともに、ピーク張力もさらに大きくなりチェーンの耐久性がさらに低下するという問題があった。
【００１５】
本発明は、前述したような従来技術の問題を解決するものであって、すなわち、本発明の目的は、多角形運動によるチェーンの速度変動を減少させつつチェーンの弦振動を防止し、騒音や振動を低減するとともにピーク張力変動を低減してチェーンの耐久性を向上するチェーン用スプロケットを提供することである。
【課題を解決するための手段】
【００１６】
本請求項１に係る発明は、向かい合う歯面が歯底部に連続する歯溝によって複数の歯が形成され、回転中心と歯の中心とを結ぶ歯の中心線から少なくとも回転方向前面側の歯面までの距離が、ピッチ円より歯先側の部分において前記ピッチ円部分での距離より大きいかまたは等しくなっているチェーン用スプロケットにおいて、前記複数の歯が、前記ピッチ円より歯先側の部分における歯面形状の異なる歯を含むことにより、前記課題を解決するものである。
【００１７】
本請求項２に係る発明は、請求項１に記載されたチェーン用スプロケットの構成に加えて、前記ピッチ円より歯先側の部分における歯面形状の異なる歯が、前記ピッチ円より歯先側の部分における回転方向前面側または背面側の歯面形状を２種類以上設定することで異なる歯面形状としたことにより、前記課題をさらに解決するものである。
【００１８】
本請求項３に係る発明は、請求項１に記載されたチェーン用スプロケットの構成に加えて、前記ピッチ円より歯先側の部分における歯面形状の異なる歯が、前記ピッチ円より歯先側の部分における回転方向前面側および背面側の両方の歯面形状を２種類以上設定することで異なる歯面形状としたことにより、前記課題をさらに解決するものである。
【００１９】
本請求項４に係る発明は、請求項１乃至請求項３のいずれかに記載されたチェーン用スプロケットの構成に加えて、前記ピッチ円より歯先側の部分における歯面形状の異なる歯が、回転方向に規則的に配置されていることにより、前記課題をさらに解決するものである。
【発明の効果】
【００２０】
本請求項１に係る発明のチェーン用スプロケットは、向かい合う歯面が歯底部に連続する歯溝によって複数の歯が形成され、回転中心と歯の中心とを結ぶ歯の中心線から少なくとも回転方向前面側の歯面までの距離が、ピッチ円より歯先側の部分においてピッチ円部分での距離より大きいかまたは等しくなっていることにより、噛み合いあるいは噛み外れ個所において、張り側あるいは緩み側にあるローラまたはブシュがピッチ円より歯先側の歯面と係合し、隣接するローラまたはブシュの中心同士が同一水平線上に位置した状態で噛み合いあるいは噛み外れが行われるため、多角形運動によるチェーンの速度変動を減少させて騒音や振動を低減することができるとともに、複数の歯がピッチ円より歯先側の部分における歯面形状の異なる歯を含むことにより、チェーンが歯と噛み合い、あるいは、噛み外れるタイミングを異ならせることができるため、チェーンへの加振を不規則化し、周期的な振動を低減してチェーンに発生する弦振動を低減させ、騒音や振動を低減することができるとともに、ピーク張力変動を低減してチェーンの耐久性を向上することができる。
【００２１】
本請求項２に係る発明のチェーン用スプロケットは、請求項１に係るチェーン用スプロケットが奏する効果に加えて、ピッチ円より歯先側の部分における歯面形状の異なる歯がピッチ円より歯先側の部分における回転方向前面側または背面側の歯面形状を２種類以上設定することで異なる歯面形状としたことにより、チェーンが歯と噛み合い、あるいは、噛み外れるタイミングを異ならせることができるため、チェーンへの加振を不規則化して、チェーンの張り側、あるいは、緩み側で周期を変動させて周期的な振動を低減し、チェーンに発生する弦振動を低減させ、騒音や振動を低減することができるとともに、ピーク張力変動を低減してチェーンの耐久性を向上することができる。
【００２２】
本請求項３に係る発明のチェーン用スプロケットは、請求項１に係るチェーン用スプロケットが奏する効果に加えて、ピッチ円より歯先側の部分における歯面形状の異なる歯がピッチ円より歯先側の部分における回転方向前面側および背面側の両方の歯面形状を２種類以上設定することで異なる歯面形状としたことにより、チェーンが歯と噛み合いおよび噛み外れるタイミングをそれぞれ別個に異ならせることができるため、さらにタイミングを分散させてチェーンへの加振を不規則化し、チェーンに発生する弦振動を低減させ、騒音や振動を低減することができるとともに、ピーク張力変動を低減してチェーンの耐久性を向上することができる。
【００２３】
本請求項４に係る発明のチェーン用スプロケットは、請求項１乃至請求項３のいずれかに係るチェーン用スプロケットが奏する効果に加えて、ピッチ円より歯先側の部分における歯面形状の異なる歯が回転方向に規則的に配置されていることにより、チェーンの張力の周期的な変動を打ち消すようにチェーンが歯と噛み合いおよび噛み外れるタイミングを異ならせることができるため、さらにチェーンへの加振を不規則化し、チェーンに発生する弦振動を低減させ、騒音や振動を低減することができるとともに、ピーク張力変動を低減してチェーンの耐久性を向上することができる。
【発明を実施するための形態】
【００２４】
本発明は、向かい合う歯面が歯底部に連続する歯溝によって複数の歯が形成され、回転中心と歯の中心とを結ぶ歯の中心線から少なくとも回転方向前面側の歯面までの距離が、ピッチ円より歯先側の部分において前記ピッチ円部分での距離より大きいかまたは等しくなっているチェーン用スプロケットにおいて、複数の歯がピッチ円より歯先側の部分における歯面形状の異なる歯を含み、多角形運動によるチェーンの速度変動を減少させつつ周期的な加振を不規則化してチェーンに発生する弦振動を低減させ、騒音や振動を低減することができるとともに、ピーク張力変動を低減してチェーンの耐久性を向上するという効果を奏するものであれば、その具体的な実施態様は如何なるものであっても何ら構わない。
【００２５】
すなわち、本発明のチェーン用スプロケットに掛け回されるチェーンは、ローラチェーンでもブシュチェーンでも良く、スプロケットの歯にローラあるいはブシュと同様の等間隔に設けられた円筒状の部材が係合して動力伝達されるものであれば、その具体的な構成はいかなる形態であってもよい。
【実施例】
【００２６】
以下に、本発明の実施例であるチェーン用スプロケットについて、図面に基づいて説明する。
図１は、本発明の第１実施例であるチェーン用スプロケットの側面図であり、図２は、図１の一部拡大図であり、図３は、本発明の第２実施例であるチェーン用スプロケットの側面図であり、図４は、図３の一部拡大図であり、図５は、本発明の第３実施例であるチェーン用スプロケットの側面図である。
【００２７】
本発明の第１実施例であるチェーン用スプロケット１００は、図１に示すように、チェーン用スプロケット１００が矢印で示すように反時計方向に回転すると、ローラチェーン１５０の各ローラ１５２はチェーン用スプロケット１００の歯溝１０４内に係合し、ローラチェーン１５０が駆動される。
チェーン用スプロケット１００の歯１０５は、図２に示すように、向かい合う歯面１０２ｂと１０２ｃ、および、歯面１０２ｂと１０２ａが歯底部１０３に連続する歯溝１０４が構成される、ピッチ円ｐｃより歯先側の部分における回転方向前面側の歯面形状の異なる２種類の歯１０５Ａ、１０５Ｂが交互に形成されるように配置されている。
【００２８】
回転方向前面側の歯面１０２ａと回転方向背面側の歯面１０２ｂはチェーン用スプロケット１００の回転中心ｏと歯１０５Ａの中心とを結ぶ歯１０５の中心線ｘに対して左右略対称に形成され、歯面１０２ｃは歯面１０２ａに対して歯先部分がＲをつけて切欠かれた形状をしている点で相違し、歯面１０２ａ、１０２ｂおよび１０２ｃはそれぞれ断面略凹状の曲面で形成されている。
また、歯底部１０３は歯底部円弧半径ｒｉ１により円弧状に形成されて、それぞれ断面略凹状の曲面で形成された歯面１０２ａ、１０２ｂおよび１０２ｃは歯底部１０３に滑らかに連続している。
【００２９】
歯１０５Ａ、１０５Ｂの中心線ｘからチェーン用スプロケット１００の回転方向前面側の歯面１０２ａ、１０２ｃ及び回転方向背面側の歯面１０２ｂまでの距離がピッチ円ｐｃより歯先側の部分においてピッチ円ｐｃ部分での距離ｐｔより大きい部分を有しており、歯底円直径ｄｆ１はＩＳＯ歯形の歯底円直径ｄｆより小さくなっている（比較のために、ＩＳＯ歯形の歯底円直径ｄｆを破線で図示している。）。
【００３０】
以上のように構成された、本発明の第１実施例であるチェーン用スプロケット１００は、公知のチェーン用スプロケット６００の動作と同様に、噛み合いあるいは噛み外れ個所において、張り側あるいは緩み側にあるローラ１５２がピッチ円ｐｃより歯先側の歯面１０２ａ、１０２ｂ、１０２ｃと係合し、隣接するローラ１５２の中心同士が同一水平線上に位置した状態で噛み合いあるいは噛み外れが行われるため、多角形運動によるローラチェーン１５０の速度変動を減少させて騒音や振動を低減する。
また、歯底円直径ｄｆ１はＩＳＯ歯形の歯底円直径ｄｆより小さくなっているので、チェーン用スプロケット１００の回転に伴って各ローラ１５２は、歯溝１０４内を転動しながら円滑に移動し、さらに多角形運動によるローラチェーン１５０の速度変動が減少する。
【００３１】
さらに、歯面形状の異なる２種類の歯１０５Ａ、１０５Ｂが交互に形成されるように配置されていることにより、連続するローラ１５２に噛み合い側の歯面１０２ａ、１０２ｃが交互に異なるタイミングで係合する一方、噛み外れ側の歯面１０２ｂは２種類の歯１０５Ａ、１０５Ｂにおいて同一であり、連続するローラ１５２との離脱のタイミングも一定であるため、係合のタイミングが分散されるとともに、係合および離脱の周期が噛み合い側と噛み外れ側で異なるものとなり、周期的な加振を不規則化してローラチェーン１５０に発生する弦振動を低減させ、騒音や振動を低減することができるとともに、ピーク張力変動を低減してローラチェーン１５０の耐久性を向上することができる。
【００３２】
本発明の第２実施例であるチェーン用スプロケット２００は、図３に示すように、チェーン用スプロケット２００が矢印で示すように反時計方向に回転すると、ローラチェーン２５０の各ローラ２５２はチェーン用スプロケット２００の歯溝２０４内に係合し、ローラチェーン２５０が駆動される。
チェーン用スプロケット２００の歯２０５は、図４に示すように、向かい合う歯面２０２ｂと２０２ｃ、および、歯面２０２ｄと２０２ａが歯底部２０３に連続する歯溝２０４が構成され、ピッチ円ｐｃより歯先側の部分における回転方向前面側および背面側の両方の歯面形状の異なる２種類の歯２０５Ａ、２０５Ｂが交互に形成されるように配置されている。
【００３３】
回転方向前面側の歯面２０２ａ、２０２ｃと回転方向背面側の歯面２０２ｂ、２０２ｄはチェーン用スプロケット２００の回転中心ｏと歯２０５Ａ、２０５Ｂの中心とを結ぶ歯２０５Ａ、２０５Ｂの中心線ｘに対して歯先部分を除いて左右略対称に、それぞれ断面略凹状の曲面で形成され、歯面２０２ｃ、２０２ｂは歯面２０２ａ、２０２ｄに対して歯先部分がＲをつけて切欠かれた形状をしている点で相違している。
また、歯底部２０３は歯底部円弧半径ｒｉ２により円弧状に形成されて、それぞれ断面略凹状の曲面で形成された歯面２０２ａ、２０２ｂ、２０２ｃおよび２０２ｄは歯底部２０３に滑らかに連続している。
【００３４】
歯２０５Ａ、２０５Ｂの中心線ｘからチェーン用スプロケット２００の回転方向前面側の歯面２０２ａ、２０２ｃ及び回転方向背面側の歯面２０２ｂ、２０２ｄまでの距離がピッチ円ｐｃより歯先側の部分においてピッチ円ｐｃ部分での距離ｐｔより大きい部分を有しており、歯底円直径ｄｆ２はＩＳＯ歯形の歯底円直径ｄｆより小さくなっている（比較のために、ＩＳＯ歯形の歯底円直径ｄｆを破線で図示している。）。
【００３５】
以上のように構成された、本発明の第２実施例であるチェーン用スプロケット２００は、公知のチェーン用スプロケット６００の動作と同様に、噛み合いあるいは噛み外れ個所において、張り側あるいは緩み側にあるローラ２５２がピッチ円ｐｃより歯先側の歯面２０２ａ、２０２ｂ、２０２ｃ、２０２ｄと係合し、隣接するローラ２５２の中心同士が同一水平線上に位置した状態で噛み合いあるいは噛み外れが行われるため、多角形運動によるローラチェーン２５０の速度変動を減少させて騒音や振動を低減する。
また、歯底円直径ｄｆ２はＩＳＯ歯形の歯底円直径ｄｆより小さくなっているので、チェーン用スプロケット２００の回転に伴って各ローラ２５２は、歯溝２０４内を転動しながら円滑に移動し、さらに多角形運動によるローラチェーン２５０の速度変動が減少する。
【００３６】
さらに、歯面形状の異なる２種類の歯２０５Ａ、２０５Ｂが交互に形成されるように配置されていることにより、連続するローラ２５２に噛み合い側の歯面２０２ａ、２０２ｃが交互に異なるタイミングで係合し、噛み外れ側においても、連続するローラ２５２が歯面２０２ｂ、２０２ｄが交互に異なるタイミングで離脱するため、係合と離脱の双方のタイミングが分散され、チェーンへの周期的な加振を低減してローラチェーン２５０に発生する弦振動を低減させ、騒音や振動を低減することができるとともに、ピーク張力変動を低減してローラチェーン２５０の耐久性を向上することができる。
【００３７】
本発明の第３実施例であるチェーン用スプロケット３００は、図３に示すように、チェーン用スプロケット３００が矢印で示すように反時計方向に回転すると、ローラチェーン３５０の各ローラ３５２はチェーン用スプロケット３００の歯溝３０４内に係合し、ローラチェーン３５０が駆動される。
チェーン用スプロケット３００の歯３０５は、第１実施例及び第２実施例と同様に、向かい合う歯面が歯底部に連続する歯溝が構成され、ピッチ円ｐｃより歯先側の部分における回転方向前面側および背面側の両方の歯面形状の異なる４種類の歯３０５Ａ、３０５Ｂ、３０５Ｃ、３０５Ｄが形成され、これらの４種類の歯３０５Ａ、３０５Ｂ、３０５Ｃ、３０５Ｄ、３０５Ａの５枚を順に並べたものを１組として、円周方向に４組繰り返して配置されている。
【００３８】
このように配置することにより、駆動力や回転負荷の周期的な変動によるローラチェーン３５０の張力変動の周期がチェーン用スプロケット３００の１回転当たり４回である場合に、該ローラチェーン３５０の張力変動による影響を吸収するような歯を選択して並べることにより、さらにチェーンへの周期的な加振を低減し、ローラチェーン３５０に発生する弦振動を低減させ、騒音や振動を低減することができるとともに、ピーク張力変動を低減してローラチェーン３５０の耐久性を向上することができる。
【００３９】
上記第１実施例乃至第３実施例では、異なる歯面形状を歯先部に設けたＲ状の切欠きの有無により形成しているが、ピッチ円ｐｃより歯先側の部分において歯の中心線ｘから歯面までの距離を異ならせる、ピッチ円ｐｃより歯先側の部分において歯面の曲率半径を異ならせる等、ピッチ円ｐｃより歯先側の部分において形状が異なるものであればいかなるものであっても良い。
【００４０】
また、第１実施例乃至第３実施例では、スプロケットの歯数を２０としたが、いかなる歯数のものでも良い。
さらに、第１実施例および第２実施例では、ピッチ円ｐｃより歯先側の部分における歯面形状の異なる２種類の歯が交互に配置されているが、ランダムに配置されても良く、さらに多くの種類の歯を配置しても良く、２種類あるいはそれ以上の種類のそれぞれの歯数は同数であっても異なる数であっても良い。
【００４１】
また、第３実施例では、歯面形状の異なる４種類の歯の組が４組繰り返して配置されているが、張力変動や他の要因による振動要素の周期に応じて、何種類の歯の組を何回繰り返しても良い。
【００４２】
以上説明したように、向かい合う歯面が歯底部に連続する歯溝によって複数の歯が形成され、回転中心と歯の中心とを結ぶ歯の中心線から少なくとも回転方向前面側の歯面までの距離が、ピッチ円より歯先側の部分において前記ピッチ円部分での距離より大きいかまたは等しくなっているチェーン用スプロケットにおいて、複数の歯がピッチ円より歯先側の部分における歯面形状の異なる歯を含み、多角形運動によるチェーンの速度変動を減少させつつ周期的な振動を低減してチェーンに発生する弦振動を低減させ、騒音や振動を低減することができるとともに、ピーク張力変動を低減してチェーンの耐久性を向上するチェーン用スプロケットを提供することができるなど、その効果は甚大である。
【図面の簡単な説明】
【００４３】
【図１】本発明の第１実施例であるチェーン用スプロケットの側面図。
【図２】図１の一部拡大図。
【図３】本発明の第２実施例であるチェーン用スプロケットの側面図。
【図４】図３の一部拡大図。
【図５】本発明の第３実施例であるチェーン用スプロケットの側面図。
【図６】従来のチェーン用スプロケットの一部拡大図。
【図７】従来のチェーン用スプロケットの側面図。
【図８】従来の他のチェーン用スプロケットの一部拡大図。
【図９】従来の他のチェーン用スプロケットの側面図。
【図１０】図９のＡの拡大図。
【図１１】図９のＢの拡大図。
【符号の説明】
【００４４】
１００、２００、３００、５００、６００  ・・・チェーン用スプロケット
１０２、２０２、        ５０２、６０２  ・・・歯面
１０３、２０３、        ５０３、６０３  ・・・歯底部
１０４、２０４、                ６０４  ・・・歯溝
１０５、２０５、３０５、        ６０５  ・・・歯
１５０、２５０、３５０、５５０、６５０  ・・・ローラチェーン
１５２、２５２、３５２、５５２、６５２  ・・・ローラ
ｐ    ・・・チェーンピッチ
ｐｃ  ・・・ピッチ円
ｄ    ・・・ピッチ円直径
ｄ１  ・・・ローラ外径
ｒｉ  ・・・歯底部円弧半径
ｒｅ  ・・・歯面半径
ｄｆ  ・・・歯底円直径
ｚ    ・・・スプロケットの歯数
ｏ    ・・・スプロケットの回転中心
ｘ    ・・・歯の中心線
【図１】
2010169156.tif 000003
【図２】
2010169156.tif 000004
【図３】
2010169156.tif 000005
【図４】
2010169156.tif 000006
【図５】
2010169156.tif 000007
【図６】
2010169156.tif 000008
【図７】
2010169156.tif 000009
【図８】
2010169156.tif 000010
【図９】
2010169156.tif 000011
【図１０】
2010169156.tif 000012
【図１１】
2010169156.tif 000013